(57)【特許請求の範囲】
【請求項１】
半導体レーザと、前記半導体レーザからの出射光からメインビームと２つのサブビームを生成する回折光学素子と、前記回折光学素子によって生成された前記メインビームおよびサブビームを光ディスク上に集光する対物レンズと、を少なくとも備え、前記光ディスクで反射された前記メインビームおよび前記サブビームを受光してトラッキングエラー信号を検出する光ピックアップであって、
前記サブビームを生成する回折光学素子は、
前記メインビームが前記ディスク面で集光状態にあるとき、
前記サブビームを前記ディスク面より近方で集光させ前記ディスク面上でディスク半径方向にトラックピッチの少なくとも２倍以上の大きさに拡大させる第１の領域と、
前記サブビームを前記ディスク面より遠方で集光させ、前記ディスク面上でディスク半径方向にトラックピッチの少なくとも２倍以上の大きさに拡大させる第２の領域からなり、前記２つのサブビームが前記ディスク面上で集光されて生じる第１のサブビームスポットおよび第２のサブビームスポットは、それぞれ、前記第１の領域により拡大されたスポットと、前記第２の領域により拡大されたスポットの双方を含むことを特徴とする光ピックアップ。
【請求項２】
前記回折光学素子における、前記第１の領域と前記第２の領域とは、トラックにほぼ垂直な方向の分割線によって分けられており、前記第１の領域および第２の領域はそれぞれ、ほぼ円弧の曲線状に溝が設けられた形状の回折格子であることを特徴とする請求項１記載の光ピックアップ。
【請求項３】
前記第１の領域および第２の領域はそれぞれ、前記トラックにほぼ平行な方向に±１次の回折光を生成し、前記第１の領域は前記トラックに垂直な方向に対し一の方向に湾曲させた回折格子をもち、前記第２の領域は前記一の方向とはほぼ逆向きに湾曲させた回折格子をもち、前記第１の領域と第２の領域とが交互に配置されていることを特徴とする請求項２記載の光ピックアップ。
【請求項４】
前記対物レンズがディスク半径方向に移動したときに、前記回折光学素子により生成される前記メインビームのプッシュプル信号と前記サブビームのプッシュプル信号の位相差の
変動がほぼ０であることを特徴とする請求項１記載の光ピックアップ。
【請求項５】
前記回折光学素子における前記メインビームを発生させる部分には回折格子が設けられていないことを特徴とする請求項１記載の光ピックアップ。
【請求項６】
前記半導体レーザは少なくとも２つの異なる波長の光を出射し、かつ各々の光の出射点が隣接されて配置され、
前記曲線状の格子の円弧のおおよその中心位置がディスク半径方向について前記各々の光の光軸間に位置することを特徴とする請求項２記載の光ピックアップ。
【発明の詳細な説明】
【技術分野】
【０００１】
本発明は光ピックアップに関し、特に、光ディスクなどの情報記録媒体に情報の記録、再生、消去などを行なう光ピックアップに関する。
【背景技術】
【０００２】
光ディスクに情報を記録し、又は、光ディスクに記録された情報を再生する際には、光ビームを光ディスクのトラック上に正確に追従させるトラッキング動作を行うことが必要である。近年、光ディスクの規格の多様化に伴い、トラックピッチ等の異なる複数の光ディスクに対して、安定なトラッキング動作を行うことが求められている。
【０００３】
（従来例１）
光ピックアップにおける一般的なトラッキングエラー信号の検出方法として、３ビームを用いた差動プッシュプル法（ＤＰＰ（Ｄｉｆｆｅｒｅｎｔｉａｌ  Ｐｕｓｈ  Ｐｕｌｌ）法）が、特許文献１に記載されている。
【０００４】
これについて、図１０を用いて説明する。
【０００５】
半導体レーザ１０１からの出射光を回折光学素子１０２によって３ビームに分割した後、コリメータレンズ１０３によってほぼ平行光とし、対物レンズ１０５により光ディスク１０６上に集光させる。そして、光ディスク１０６からの反射光をビームスプリッタ１０４で反射させ、集光レンズ１０７で光検出器１０８に導く。
【０００６】
図１１に示すように、上記の３ビームは、光ディスク１０６上のトラックの接線方向にメインビーム１０９、＋１次光のサブビーム１１０、−１次光のサブビーム１１１としてそれぞれ集光される。なお、図１１においてＸ方向は光ディスク１０６の半径方向、Ｙ方向は光ディスク１０６のトラックに平行な方向である。
【０００７】
このとき、サブビーム１１０、１１１はそれぞれ、メインビーム１０９が集光するトラックＴに対して、１／２トラックピッチだけ半径方向にずらして集光する。そして、図１２に示すようにメインビーム１０９、サブビーム１１０、１１１の反射光のファーフィールドパターンを、それぞれトラックに平行な方向の分割線を有する２分割光検出器１１２、１１３、１１４で受光し光電変換した後、２分割光検出器１１２、１１３、１１４のそれぞれからの差信号すなわちプッシュプル信号ＭＰＰ、ＳＰＰ１、ＳＰＰ２を得る。
【０００８】
ビームスポットが光ディスクのトラック中心にあるときは２分割光検出器の左右の強度は同一となり、ビームスポットがトラック中心から離れるにしたがって左右の強度が非対称となりプッシュプル信号が生成される。
【０００９】
対物レンズが光ディスク半径方向（Ｘ方向）にシフトした時の２分割光検出器１１２でのメインビームのファーフィールドパターンの様子を図１３に示す。対物レンズ１０５が光ディスク半径方向にシフトしたときには、２分割された受光光検出器１１２上でのビームスポットもシフトするため、光ディスク１０６上でメインビーム１０９がトラックの中心にあっても、トラッキングエラー信号にオフセットが生じる。
【００１０】
対物レンズがディスク半径方向（Ｘ方向）にシフトした時のこれらＭＰＰ、ＳＰＰ１、ＳＰＰ２信号波形を図１４に示す。対物レンズがシフトした場合、図１４に示すようにメインプッシュプル信号ＭＰＰにオフセットが発生してしまう。一方で、サブビームプッシュプル信号ＳＰＰ１、ＳＰＰ２も対物レンズ１０５のシフトや光ディスク１０６の傾きによりＤＣオフセット信号を生じ、メインプッシュプル信号ＭＰＰとは同位相となる。メインビームとサブビームとはトラックピッチの１／２だけずれているため、図１４（ａ）に示すメインビームのプッシュプル信号（ＭＰＰ）と、図１４（ｂ）に示すサブビームのプッシュプル信号（ＳＰＰ１、ＳＰＰ２）とは、位相が１８０度ずれている。
【００１１】
したがって、図１２に示す回路によって
ＤＰＰ＝ＭＰＰ−ｋ（ＳＰＰ１＋ＳＰＰ２）                    （式１）
の演算を行なうことにより、対物レンズシフトやディスクの傾きにより発生するプッシュプル信号のオフセットをキャンセルしたトラッキングエラー信号を得ることができる。
【００１２】
ここで、係数ｋは、０次光のメインビーム１０９と、＋１次光のサブビーム１１０および−１次光のサブビーム１１１との光強度の違いを補正するためのもので、強度比が０次光：＋１次光：−１次光＝ａ：ｂ：ｂならば、係数ｋ＝ａ／（２ｂ）である。
【００１３】
しかしながら、このＤＰＰ法は、サブビーム１１０、１１１をメインビーム１０９に対してディスクの半径方向（Ｘ方向）にちょうど１／２トラックピッチだけずらして配置させる必要があるため、トラックピッチの異なる複数の種類の光ディスクを、１つの光ピックアップで記録、再生する場合には問題となる。また、ピックアップ装置組立時に、回折光学素子を高精度に回転調整する必要があるため、組立時間を短縮し、コストを削減する上でも問題となる。
【００１４】
（従来例２）
これを解決する手段として、特許文献２には、プッシュプルオフセットの発生が小さく、トラックピッチに対する依存性が小さいトラッキングエラー信号の検出方法が提案されている。
【００１５】
半導体レーザから出射された光を回折光学素子１０２で３ビームに分割し対物レンズ１０５で光ディスク１０６上に集光させる点は上記従来例１と同じであるが、図１５に示すように回折光学素子１０２の溝部をビームの有効径の中央部のみに形成する構成としている点が異なる。本従来例における回折光学素子の概要を図１５に示す。回折光学素子１０２の溝部１０２ａを有効光束の中央部にのみ形成し、回折光学素子１０２における溝部１０２ａの周囲に平坦部１０２ｂが形成されている。
【００１６】
回折光学素子１０２の溝部１０２ａは基板の中央部にのみ形成されているため、この溝部１０２ａによる＋１次回折光のサブビーム１１０および−１次回折光のサブビーム１１１のビーム径は、有効光束径（対物レンズ１０５の開口径）に比べて小さくなる。すなわち、回折された光に対する対物レンズ１０５の開口数が実質小さくなる。一方、回折光学素子１０２の０次光（メインビーム１０９）は、対物レンズ１０５の開口よりも大きく設定されているので、光ディスク１０６上には対物レンズ１０５の開口数で決まる回折限界のビームスポットが形成される。
【００１７】
メインビーム１０９としてトラックピッチに対し適正な大きさのビームスポットが形成されるような光学系を用いている場合は、図１６に示すようにサブビーム１１０、１１１はトラックピッチに対して大きなビームスポットが形成される。サブビームのビームスポットを大きくすることで、ビームスポットがトラックを横切るときに発生する信号を低減することができる。
【００１８】
そして、対物レンズシフトなどによるオフセット信号は得られるため、上述の（式１）の演算により、同様にオフセットキャンセルは可能になる。これによれば、トラック横断による変調信号が出ないため、サブビーム１１０、１１１をメインビーム１０９に対してちょうど１／２トラックピッチだけディスク１０６の半径方向にずらせて配置させる必要がなく、トラックピッチの異なる複数の種類の光ディスクを、１つの光ピックアップで再生することが可能となる。また、サブビームがどの位置に調整されてもよいので、高精度の回転調整は不要となる。
【００１９】
しかしながら、図１５に示した回折光学素子１０２を用いた場合は、０次光を含むメインビーム１０９の光強度は、回折光学素子１０２の溝部１０２ａでは平坦部１０２ｂに対して回折効率の分だけ減ってしまうため、回折光学素子１０２の外周部である平坦部１０２ｂの光強度が相対的に強くなる。これによって、メインビーム１０９の光ディスク１０６上での集光ビーム形状が変化し、記録再生特性が劣化する。また回折光学素子の一部分のみに溝部を形成して開口制限を行うことから、回折効果により光がディスク半径方向への広がりをもつことになり、対物レンズシフトによって発生するＤＣオフセットがメインビーム１０９とサブビーム１１０、１１１で差異が生じ、完全にはオフセットをキャンセルできないという問題がある。
【００２０】
（従来例３）
また従来例２と同様にサブビームのスポットサイズを大きくすることでＤＣオフセットをキャンセルする方法が特許文献３に提案されている。
【００２１】
半導体レーザから出射された光を回折光学素子１０２で３ビームに分割し対物レンズ１０５で光ディスク１０６上に集光させる点は上記従来例１と同じである。しかし、回折光学素子１０２の形状が異なる。回折光学素子の構成例として、図１７に示すような曲線状の溝の構造にする方法が示されている。
【００２２】
回折格子を曲線状にすることで、サブビームのビームサイズが拡大されビームスポットがトラックを横切るときに発生する信号を低減することができる。そして、対物レンズシフトなどによるオフセット信号は得られるため、上述の（１）式の演算により、同様にオフセットキャンセルは可能になるとしている。
【００２３】
これによれば、サブビームはトラック横断による変調信号が出ないため、サブビームをメインビームに対してちょうど１／２トラックピッチだけディスクの半径方向にずらせて配置させる必要がなく、トラックピッチの異なる複数の種類の光ディスクを、１つの光ピックアップで再生することが可能となる。また、サブビームがどの位置に調整されてもよいので、高精度の回転調整は不要となる。
【００２４】
回折格子として、例えば曲率半径の小さな円弧の一部分を使用して、サブビームをトラックピッチに対して十分に拡大した場合、サブビームがトラックを横切るときに発生する信号をほぼ完全に消すことができる。しかしながらメインビームとサブビームとで、放射状に出射されるレーザ光の異なる強度部分を用いることになるので、レンズシフト時のＤＣオフセットの挙動が異なり、オフセットが完全にキャンセルできないという問題がある。
【００２５】
また、曲率半径を大きくしてサブビームのサイズを十分には大きくできない場合はサブビームプッシュプル信号が完全に抑制することができず、かつ対物レンズシフトとともにメインプッシュプル信号とサブプッシュプル信号の位相差が変動し、デトラックが発生するという問題がある。
【特許文献１】特公平４−３４２１２号公報
【特許文献２】特開平１０−１６２３８３号公報
【特許文献３】特開２００１−３２５７３８号公報
【発明の開示】
【発明が解決しようとする課題】
【００２６】
上述したように、従来例１では異なるトラックピッチの光ディスクに対して、１つの光ピックアップを用いて記録・再生を行えないという問題がある。
【００２７】
また従来例２、３は、トラックピッチの異なる複数の光ディスクに対応できる可能性があるが、対物レンズシフトにより発生するＤＣオフセットを十分にキャンセルできないという問題や、光利用効率の低減およびそれに伴う完全に消去できないサブビームプッシュプルＳＰＰ１、ＳＰＰ２とＭＰＰとの位相差の変動によりデトラックが発生する問題がある。
【００２８】
本発明は、上記課題に鑑みてなされたものであり、プッシュプル法を利用したトラッキングエラー信号のオフセットを容易にかつ低コストで補正して異なるトラックピッチのディスクに対しても記録・再生を行うことを可能とすることを目的とするものである。
【００２９】
また光の利用効率を低下させずに、高精度の組立調整を不要とし、組立時間の短縮及び低コスト化を図ることができる光ピックアップを提供することを目的とする。
【課題を解決するための手段】
【００３０】
上記課題を解決するために本発明の光ピックアップは、半導体レーザと、前記半導体レーザからの出射光からメインビームと少なくとも１つのサブビームを生成する回折光学素子と、前記回折光学素子によって生成された前記メインビームおよびサブビームを光ディスク上に集光する対物レンズと、を少なくとも備え、前記光ディスクで反射された前記メインビームおよび前記サブビームを受光してトラッキングエラー信号を検出する光ピックアップであって、前記サブビームを生成する回折光学素子は、前記メインビームが前記ディスク面で集光状態にあるとき、前記サブビームを前記ディスク面より近方で集光させ前記ディスク面上でディスク半径方向にトラックピッチの少なくとも２倍以上の大きさに拡大させる領域と、前記サブビームを前記ディスク面より遠方で集光させ、前記ディスク面上でディスク半径方向にトラックピッチの少なくとも２倍以上の大きさに拡大させる領域からなることを特徴とする。
【００３１】
前記回折光学素子はトラックにほぼ垂直な方向の分割線によって複数の領域に分けられており、前記複数の領域はそれぞれ、ほぼ円弧の曲線状に溝が設けられた形状の回折格子であることが好ましい。
【００３２】
前記複数の領域はそれぞれ、前記トラックにほぼ平行な方向に±１次の回折光を生成し、前記トラックに垂直な方向に対し一の方向に湾曲させた回折格子をもつ第１の領域と前記一の方向とはほぼ逆向きに湾曲させた回折格子をもつ第２の領域とが交互に配置されていることがさらに好ましい。
【００３３】
前記対物レンズがディスク半径方向に移動したときに、前記回折光学素子により生成される前記メインビームのプッシュプル信号と前記サブビームのプッシュプル信号の位相差の変動がほぼ０であることが好ましい。
【００３４】
前記回折光学素子における前記メインビームを発生させる部分には回折格子が設けられていないことが好ましい。
【００３５】
前記半導体レーザは少なくとも２つの異なる波長の光を出射し、かつ各々の光の出射点が隣接されて配置され、前記曲線状の格子の円弧のおおよその中心位置がディスク半径方向について前記各々の光の光軸間に位置することが好ましい。
【発明の効果】
【００３６】
本発明によれば、プッシュプル法を利用したトラッキングエラー信号のオフセットを容易にかつ低コストで補正して異なるトラックピッチのディスクに対しても安定に記録・再生を行うことを可能とするとともに、光の利用効率を低下させずに、高精度の組立調整を不要とし、組立時間の短縮及び低コスト化を図ることができる光ピックアップを提供することができる。
【発明を実施するための最良の形態】
【００３７】
以下、本発明の実施の形態について説明する。
【００３８】
（実施の形態）
図１は、本発明の第１の実施の形態の光ピックアップの構成図である。半導体レーザ１からの出射光を回折光学素子２によってメインビームと２つのサブビームに分割した後コリメータレンズ３によってほぼ平行光とする。その後、対物レンズ５により光ディスク６上に集光させ、対物レンズ５を介して反射光を再度ほぼ平行光とし、ビームスプリッタ４で反射させ、集光レンズ７で光検出器８に導く。
【００３９】
図２は光検出器８の構成図である。メインビームと２つのサブビームは、それぞれトラック方向（Ｙ方向）に平行な分割線を有する２分割光検出器１２、１３、１４で受光される。そして、各２分割光検出器１２、１３、１４からの差信号プッシュプル信号ＭＰＰ、ＳＰＰ１、ＳＰＰ２を得る。
【００４０】
ここで、本実施の形態においては、回折光学素子２に形成された周期構造に特徴を有する。その周期構造を図３に示す。図３の回折光学素子は、領域２１と２２のそれぞれから±１次の回折作用によりサブビームを生成する。それぞれの領域はトラックにほぼ垂直な方向の分割線によって、領域１５と１６に分けられ、ほぼ円弧状の曲線形状に溝を設けた回折格子からなる。領域１５と１６で生成されたサブビームはほぼトラックに平行な方向（Ｙ方向）に±１次の回折光を生成し、ほぼ円弧状の曲線溝の向きは領域１５と１６でほぼ逆の向きの構成とする。回折光学素子２の０次光であるメインビーム９がディスク６面上で、対物レンズ５の開口と波長により定まる回折限界まで集光されているときには、領域１５による回折光は、サブビームをディスク６面より近方で集光させる効果をもちディスク６面ではディスク半径方向に拡大したビームとなり、また領域１６による回折光は、サブビームをディスク６面より遠方で集光させる効果をもちディスク６面ではディスク半径方向に拡大したビームとなる。
【００４１】
領域１５、１６はここでは円弧をトラック接線方向（Ｙ方向）にほぼ等しいピッチで並べて配置した構成としたが、たとえば領域１６をメインビームの中心位置からトラック接線方向（Ｙ方向）に離れるにしたがいピッチを連続的に狭くし、領域１５をメインビームの中心位置から離れるにしたがってピッチを連続的に広くする、いわゆるフレネルパターンを用いてもよい。
【００４２】
なお、図３の構成は、メインビーム９が通過する領域の周期構造がカットされるとともに、サブビーム１０、１１が略半円のような円ではない構成となるようにサブビーム１０、１１を生成する領域が配置された構成となっているが、回折光学素子の全面に周期構造を配置した図４の構造としてもなんら問題はない。図４の構成にすれば、周期構造によるメインビーム９の光量のロスが抑えられ、メインビーム９の光利用効率を向上させることができる。
【００４３】
図３の構成の回折光学素子２によって生成されたメインビーム９とサブビーム１０、１１の光ディスク６上のスポットは、図５の形状になる。
【００４４】
ここでは、メインビーム９に対してサブビーム１０、１１を２分の１トラックずらして配置した状態を示している。サブビーム１０、１１はそれぞれディスク半径方向に拡大したスポットとなる。本実施の形態では、トラックピッチの約３倍のビームスポットとサイズとしている。サブビーム１０、１１がトラックピッチに対して拡大されているため、サブビームがトラックを横切るときに発生する信号が低減される。そのためにはサブビームのスポットサイズを少なくともトラックピッチの２倍以上、好ましくはサブビームスポットサイズをトラックピッチの３倍から６倍程度にするとよい。また、サブビーム１０、１１はそれぞれ回折光学素子の領域１５、１６から光量的にほぼ等分に発生させている。
【００４５】
ところでサブビームプッシュプル信号ＳＰＰ１、ＳＰＰ２は低減されているものの、ＳＰＰ１、ＳＰＰ２信号が完全に消去できず残留した場合には、ＭＰＰとＳＰＰ１、ＳＰＰ２の位相差が問題となる。（１）によりトラッキングエラー信号を生成するときには、ＭＰＰとＳＰＰ１、ＳＰＰ２の位相差によりデトラックが発生する原因となる。
【００４６】
対物レンズ５が中立の状態では、メインビーム９に対してサブビーム１０、１１を２分の１トラックずらして配置されているので、メインビーム９を用いたプッシュプル信号ＭＰＰとサブビーム１０、１１を用いたプッシュプル信号ＳＰＰ１とＳＰＰ２は、位相が１８０°ずれた信号となる。対物レンズ５をディスク半径方向にシフトさせると、実質的に使用する回折光学素子の位置はディスク半径方向にずれる。回折格子としてほぼ円弧状の曲線群を用いるために、メインが集光しているトラックに対してサブビームが照射されるトラックは位置ずれをおこし、２分の１トラックの差からずれる。
【００４７】
図３に示すように、回折光学素子をトラックにほぼ垂直な方向の分割線で領域分割し、交互に逆向きの湾曲した回折格子を用いている。そのため図６に示すようにサブビームは対物レンズシフトに伴って、メインが集光しているトラックに対して、ディスクのより内周側とディスクのより外周側に強度分布をもつように拡大する。
【００４８】
そのため、本発明では、メインプッシュプル信号ＭＰＰとサブプッシュプル信号ＳＰＰ１の位相差を、メインプッシュプル信号ＭＰＰとサブプッシュプル信号ＳＰＰ２の位相差でキャンセルすることになり、対物レンズシフトしてもトラッキングエラー信号としてデトラックや信号量の低下はおこらない。
【００４９】
一方、対物レンズ５のラジアルシフトや光ディスク６の傾きによるＭＰＰ、ＳＰＰ１、ＳＰＰ２のオフセット成分に対しては、対物レンズ５のラジアルシフトや光ディスク６の傾きに対してそれぞれ同じ側（同相）にオフセットが発生する。
【００５０】
これは、回折光学素子２が逆向きの格子を交互に、かつ光量的にほぼ等分に組み合わせた構成となっているために、メインビームのＤＣオフセットとサブビームのＤＣオフセットの挙動が一致するためである。また回折光学素子２をトラックにほぼ垂直な方向の分割線によってしか分割していないため、回折光学素子２の領域分割による回折効果で、ディスク半径方向にビームが広がることもなく、メインビームのオフセットとサブビームのオフセットは対物レンズシフトやディスクの半径方向のチルトによって発生するオフセットは、同位相でかつ線形に変化し、従来例２，３と比較してより完全にオフセットをキャンセルすることができる。
【００５１】
図７に、これらの信号の対物レンズシフト時における信号波形を示す。図２の回路によって、
ＤＰＰ＝ＭＰＰ−ｋ（ＳＰＰ１＋ＳＰＰ２）                    （式１）
の演算を行なうことにより、上記オフセットをキャンセルしたＤＰＰ信号を検出することができる。ここで、係数ｋはメインビーム９とサブビーム１０、１１の光強度の違いを補正するためのもので、強度比がメインビーム９：サブビーム１０：サブビーム１１＝ａ：ｂ：ｂならば、係数ｋ＝ａ／（２ｂ）である。
【００５２】
本実施の形態では、サブビーム１０、１１をメインビーム９に対して２分の１トラックずれして配置した例を示したが、サブビーム１０、１１をトラックピッチに対して拡大しているためサブビームプッシュプルはメインビームプッシュプルに対して低減されているため、サブビームをトラック位置によらず配置しても実用上問題なく、そのためトラックピッチの異なる複数の種類の光ディスクを、１つの光ピックアップで記録・再生することが可能となる。
【００５３】
また、本発明は図８に示すように隣接された波長の異なるレーザ光源１と２１を備えたピックアップにも適応できるものである。ここでは、回折光学素子２として、図９に示すように、領域１５の円弧状曲線のディスク半径方向の中心位置３３と、領域１６の円弧状曲線のディスク半径方向の中心位置３４が２つの光軸３１、３２間に位置すればサブブームプッシュプルの低減効果とともに、対物レンズシフト時にもメインビームプッシュプル信号とサブビームプッシュプル信号に位相差の変動がおさえられる。よって、２つの光源どちらに対しても、サブビームをトラック位置によらず配置しても問題なく、そのためトラックピッチの異なる複数の種類の光ディスクを、記録・再生することが可能となる。
【産業上の利用可能性】
【００５４】
本発明の光ピックアップは、光利用効率を低下させず、回折光学素子の高精度の組立調整を不要としながら、プッシュプル法を利用したトラッキングエラー信号のオフセットを低コストで補正するものであり、異なるトラックピッチのディスクに対して安定に記録・再生を行う光ピックアップとして有用である。
【図面の簡単な説明】
【００５５】
【図１】本発明の実施の形態における光ピックアップの構成図
【図２】本発明の実施の形態における光検出器の詳細図
【図３】本発明の実施の形態における回折光学素子の周期構造を示す概略図
【図４】本発明の実施の形態における回折光学素子の他の周期構造を示す概略図
【図５】本発明の実施の形態における回折光学素子による光ディスク上のスポットの配列図
【図６】本発明の実施の形態における回折光学素子による対物レンズシフト時の光ディスク上のスポットの配列図
【図７】本発明の実施の形態の光ピックアップにおけるトラッキングエラー信号の信号波形図（レンズシフト時）
【図８】本発明の実施の形態における隣接した異なる２つの波長の光源を用いたピックアップの構成図
【図９】図８に示した光ピックアップにおける回折光学素子の周期構造を示す概略図
【図１０】従来の光ピックアップの構成図
【図１１】従来例１における光ピックアップにおける光ディスク上のスポットの配列図
【図１２】従来の光ピックアップにおける光検出器の詳細図
【図１３】プッシュプル法における対物レンズシフトによるＤＣオフセット発生の説明図
【図１４】従来例１における光検出器より得られるトラッキングエラー信号の信号波形図（レンズシフト時）
【図１５】従来例２の光ピックアップに用いられる回折光学素子の構成図
【図１６】従来例２における光ピックアップにおける光ディスク上のスポットの配列図
【図１７】従来例３の光ピックアップに用いられる回折光学素子の構成図
【符号の説明】
【００５６】
１、２１、１０１  半導体レーザ
２、１０２  回折光学素子
３、１０３  コリメータレンズ
４、１０４  ビームスプリッタ
５、１０５  対物レンズ
６、１０６  光ディスク
７、１０７  集光レンズ
８、１０８  光検出器
９、１９、１０９  メインビーム
１０、１１、１１０、１１１  サブビーム
１２、１３、１４、１１２、１１３、１１４  ２分割光検出器
１５、１６、２１、２２  回折光学素子の領域
３１、３２  異なる波長の光源の光軸のディスク半径方向を示す位置
３３、３４  ほぼ円弧状の曲線による回折格子の円弧の中心位置を示す位置（ディスク半径方向）
【図１】
0004396596.tif 000002
【図２】
0004396596.tif 000003
【図３】
0004396596.tif 000004
【図４】
0004396596.tif 000005
【図５】
0004396596.tif 000006
【図６】
0004396596.tif 000007
【図７】
0004396596.tif 000008
【図８】
0004396596.tif 000009
【図９】
0004396596.tif 000010
【図１０】
0004396596.tif 000011
【図１１】
0004396596.tif 000012
【図１２】
0004396596.tif 000013
【図１３】
0004396596.tif 000014
【図１４】
0004396596.tif 000015
【図１５】
0004396596.tif 000016
【図１６】
0004396596.tif 000017
【図１７】
0004396596.tif 000018